(57)【特許請求の範囲】
【請求項１】
ユーザの車両が水素ステーションで水素燃料を充填する日時を予約するための予約情報を充填日時の前日までに入力可能にすると共に、入力された予約情報を登録可能な水素充填予約表を作成する工程と、
作成された前記水素充填予約表を記憶装置に記憶する工程と、
ユーザから前記水素充填予約表へのアクセスを受け、前記予約情報を受信する工程と、
受信された予約情報を前記水素充填予約表に前記充填日時の前日までに登録する工程と、
登録された予約情報の内容が前記ユーザからアクセスされた前記水素充填予約表上に表示されるように前記水素充填予約表を更新する工程と、
前記予約情報が登録された前記水素充填予約表を前記記憶装置から読み出し、読み出された前記水素充填予約表を用いて読み出した日から予め設定された日数が経過した注目日における水素燃料の必要量を算出する工程と、
前記注目日よりも前に前記注目日における前記水素燃料の必要量を出力する工程と、
を備えたことを特徴とする水素ステーションの予約システムの制御方法。
【請求項２】
水素燃料をトレーラー車両で配送する配送事業者端末と、水素燃料を製造する水素製造所端末と、のうち少なくとも１つに、前記注目日よりも予め設定された日数前の出力日にインターネットを介して前記注目日における前記水素燃料の必要量を出力することを特徴とする請求項１記載の水素ステーションの予約システムの制御方法。
【請求項３】
外部端末からインターネットを介して前記水素充填予約表にアクセスし、前記外部端末から前記予約情報を受信することを特徴とする請求項１又は２記載の水素ステーションの予約システムの制御方法。
【請求項４】
水素ステーションに来店したユーザからの前記予約情報が入力装置を介して受信され、入力された予約情報が前記水素充填予約表に登録され、
登録された予約情報の内容が表示されたユーザ毎の個別予約表情報を作成する工程と、
作成された個別予約表情報をユーザ毎の個別予約表に出力する工程と、
をさらに備えたことを特徴とする請求項１又は２記載の水素ステーションの予約システムの制御方法。
【請求項５】
請求項１〜４いずれか記載の水素ステーションの充填予約装置の制御方法によって出力された前記注目日における前記水素燃料の必要量を、インターネットを介して水素製造所端末に入力する工程と、
前記水素製造所端末に入力された前記注目日における前記水素燃料の必要量に基づいて、前記水素ステーションの低圧蓄圧器に前記水素燃料の必要量が示す水素燃料を前記注目日に蓄圧可能な量の水素燃料を製造する工程と、
水素燃料を配送する配送事業者のトレーラー車両に製造された水素燃料を充填する工程と、
を備えたことを特徴とする水素燃料製造方法。
【請求項６】
ユーザの車両が水素ステーションで水素燃料を充填する日時を予約するための予約情報を充填日時の前日までに入力可能にすると共に、入力された予約情報を登録可能な水素充填予約表を作成する予約表作成部と、
作成された前記水素充填予約表を記憶する記憶部と、
ユーザから前記水素充填予約表へのアクセスを受け、前記予約情報を受信する受信部と、
受信された予約情報を前記水素充填予約表に前記充填日時の前日までに登録する登録部と、
登録された予約情報の内容が前記ユーザからアクセスされた前記水素充填予約表上に表示されるように前記水素充填予約表を更新する更新部と、
前記予約情報が登録された前記水素充填予約表を前記記憶装置から読み出し、読み出された前記水素充填予約表を用いて読み出した日から予め設定された日数が経過した注目日における水素燃料の必要量を算出する必要量算出部と、
前記注目日よりも前に前記注目日における前記水素燃料の必要量を出力する出力部と、
を備えたことを特徴とする水素ステーションの充填予約装置。
【発明の詳細な説明】
【技術分野】
【０００１】
本発明は、水素ステーションの予約システムの制御方法、水素燃料製造方法、及び水素ステーションの充填予約装置に関し、例えば、水素を燃料とする一般車両が水素ステーションで水素を充填するための予約システム、充填予約装置及びそれらの制御方法に関する。
【背景技術】
【０００２】
自動車の燃料として、従来のガソリンを始めとした燃料油の他に、近年、クリーンなエネルギー源として水素燃料が注目を浴びている。水素燃料で走行する自動車を普及させるためには水素燃料を急速に充填することができる水素ステーションを拡充する必要がある。しかしながら、まだ十分に水素ステーションの拡充が行われていない状況である。従って、１つの水素ステーションに充填のために到来するユーザ車両が集中する可能性があり、充填待ちの待ち時間が長くかかってしまうといった問題が考えられる。そのため、水素燃料の充填を円滑に行う手法が必要となる。
【０００３】
また、水素燃料で走行する車両が少ない中、水素ステーションは採算面から大規模なものにはなりにくいと考えられる。従って、小規模な水素ステーションで、水素燃料で走行する車両に水素燃料を充填することが想定される。かかる状況では、充填のために水素ステーションに到来したユーザ車両に対し、水素燃料を充填することができない可能性がある。そのため、水素ステーションへの水素燃料の補給を円滑に行う手法が必要となる。
【０００４】
なお、水素車両に円滑な水素の充填を行う点に関する技術として、水素車両から通信回線を介して送信されてくる水素貯蔵容器の残量を受信して、各水素車両が通常充填を行なう水素スタンドにおける水素の充填計画を設定する技術が開示されている（特許文献１参照）。
【先行技術文献】
【特許文献】
【０００５】
【特許文献１】特開２００３−１３０２９５号公報
【発明の概要】
【発明が解決しようとする課題】
【０００６】
そこで、本発明の一態様は、水素燃料の充填を円滑に行うことが可能な充填予約装置、予約システムの制御方法、及び水素燃料製造方法を提供することを目的とする。
【課題を解決するための手段】
【０００７】
本発明の一態様の水素ステーションの予約システムの制御方法は、
ユーザの車両が水素ステーションで水素燃料を充填する日時を予約するための予約情報を充填日時の前日までに入力可能にすると共に、入力された予約情報を登録可能な水素充填予約表を作成する工程と、
作成された水素充填予約表を記憶装置に記憶する工程と、
ユーザから水素充填予約表へのアクセスを受け、予約情報を受信する工程と、
受信された予約情報を水素充填予約表に充填日時の前日までに登録する工程と、
登録された予約情報の内容がユーザからアクセスされた水素充填予約表上に表示されるように水素充填予約表を更新する工程と、
予約情報が登録された水素充填予約表を記憶装置から読み出し、読み出された水素充填予約表を用いて読み出した日から予め設定された日数が経過した注目日における水素燃料の必要量を算出する工程と、
注目日よりも前に注目日における水素燃料の必要量を出力する工程と、
を備えたことを特徴とする。
【０００８】
また、水素燃料をトレーラー車両で配送する配送事業者端末と、水素燃料を製造する水素製造所端末と、のうち少なくとも１つに、注目日よりも予め設定された日数前の出力日にインターネットを介して注目日における水素燃料の必要量を出力すると好適である。
【０００９】
また、外部端末からインターネットを介して水素充填予約表にアクセスし、外部端末から予約情報を受信すると好適である。
【００１０】
或いは、水素ステーションに来店したユーザからの予約情報が入力装置を介して受信され、入力された予約情報が水素充填予約表に登録され、
登録された予約情報の内容が表示されたユーザ毎の個別予約表情報を作成する工程と、
作成された個別予約表情報をユーザ毎の個別予約表に出力する工程と、
をさらに備えても好適である。
【００１１】
本発明の一態様の水素燃料製造方法は、
上述した水素ステーションの予約システムの制御方法によって出力された注目日における水素燃料の必要量を、インターネットを介して水素製造所端末に入力する工程と、
水素製造所端末に入力された注目日における水素燃料の必要量に基づいて、水素ステーションの低圧蓄圧器に水素燃料の必要量が示す水素燃料を注目日に蓄圧可能な量の水素燃料を製造する工程と、
水素燃料を配送する配送事業者のトレーラー車両に製造された水素燃料を充填する工程と、
を備えたことを特徴とする。
【００１２】
本発明の一態様の水素ステーションの充填予約装置は、
ユーザの車両が水素ステーションで水素燃料を充填する日時を予約するための予約情報を充填日時の前日までに入力可能にすると共に、入力された予約情報を登録可能な水素充填予約表を作成する予約表作成部と、
作成された水素充填予約表を記憶する記憶部と、
ユーザから水素充填予約表へのアクセスを受け、予約情報を受信する受信部と、
受信された予約情報を水素充填予約表に充填日時の前日までに登録する登録部と、
登録された予約情報の内容がユーザからアクセスされた水素充填予約表上に表示されるように水素充填予約表を更新する更新部と、
予約情報が登録された水素充填予約表を記憶装置から読み出し、読み出された水素充填予約表を用いて読み出した日から予め設定された日数が経過した注目日における水素燃料の必要量を算出する必要量算出部と、
注目日よりも前に注目日における水素燃料の必要量を出力する出力部と、
を備えたことを特徴とする。
【発明の効果】
【００１３】
本発明の一態様によれば、ユーザ車両は確実に水素燃料の充填ができると共に、水素ステーションでは効率的な水素燃料の準備およびユーザ車両への供給ができる。
【図面の簡単な説明】
【００１４】
【図１】実施の形態１における水素ステーションの予約システムの構成を示す構成図の一例である。
【図２】実施の形態１における管理サーバの内部構成の一例を示す構成図である。
【図３】実施の形態１における水素ステーションの予約システムの制御方法の要部工程を示すフローチャート図である。
【図４】実施の形態１における水素充填予約表の一例を示す図である。
【図５】実施の形態１における水素充填予約表の他の一例を示す図である。
【図６】実施の形態１における個別予約カードの一例を示す図である。
【図７】実施の形態２における水素ステーションの予約システムの構成を示す構成図の一例である。
【発明を実施するための形態】
【００１５】
実施の形態１．
図１は、実施の形態１における水素ステーションの予約システムの構成を示す構成図の一例である。図１において、水素ステーションの予約システム１００は、管理サーバ１１０（充填予約装置）、水素（Ｈ２）製造所端末１２０、及びトレーラー配送事業者端末１３０を備えている。管理サーバ１１０、Ｈ２製造所端末１２０、及びトレーラー配送事業者端末１３０は、例えばインターネットといったネットワークを介して互いに通信可能に接続されている。
【００１６】
管理サーバ１１０は、水素ステーション１０２内に配置される。水素ステーション１０２内には、計量機１１２（充填機）、低圧蓄圧器１１４、圧縮機１１６、及び高圧蓄圧器１１８が配置される。Ｈ２製造所端末１２０は、水素製造所１０４内に配置される。水素製造所１０４内には、水素燃料（水素ガス）を製造する水素製造設備１０５が配置される。トレーラー配送事業者端末１３０は、トレーラー配送事業者１０６内に配置される。
【００１７】
また、車両１０のユーザ（運転者、顧客）は、携帯端末１１（外部端末の一例）を所持していると好適である。ユーザの携帯端末１１は、付近の基地局１４０との間で無線通信を行う。また、基地局１４０は、インターネット（ネットワークの一例）に接続される。よって、携帯端末１１は、基地局１４０を介して、無線通信とインターネット通信により、管理サーバ１１０等に通信可能に配置される。
【００１８】
なお、管理サーバ１１０等に通信する外部装置として、携帯端末１１を一例に挙げているが、これに限るものではない。その他のインターネットに接続可能な固定された端末装置等でもよい。
【００１９】
水素製造所１０４内の水素製造設備１０５によって製造された水素燃料は、トレーラー配送事業者１０６が所有或いは管理するトレーラー車両１０８に充填（搭載）され、水素ステーション１０２に配送される。そして、トレーラー車両１０８に搭載された水素燃料は、トレーラー車両１０８からまず低圧蓄圧器１１４に充填される。例えば、４５ＭＰａで充填される。低圧蓄圧器１１４に充填された水素燃料は、次に、圧縮機１１６（コンプレッサ）によって圧縮され、高圧蓄圧器１１８に充填される。例えば、８２ＭＰａで充填される。
【００２０】
ここで、水素燃料を燃料とするユーザ車両１０は、電気化学的に発電する図示しない燃料電池を搭載する。ユーザ車両１０は、数十ＭＰａ（例えば、７０ＭＰａ）の高圧で水素燃料（水素ガス）を貯蔵する図示しない水素貯蔵容器や水素吸蔵合金を利用したＭＨ式の水素貯蔵容器を搭載している。そして、図示しない水素貯蔵容器から燃料電池に水素が供給されて発電し、発電した電力で図示しない走行モータを駆動して走行する。或いは水素を内燃機関に供給して走行する車両も開発されている。内燃機関を利用する車両では、水素貯蔵容器に貯蔵された水素を内燃機関で燃焼して駆動力を得て走行する。ユーザ車両１０の水素貯蔵容器が空になると、或いは残圧が低下すると、水素貯蔵容器に水素燃料を充填する必要がある。かかる場合、ユーザ車両１０は水素ステーション１０２に到来する。そして、高圧蓄圧器１１８に充填された高圧の水素燃料は、計量機１１２によって充填する水素量を計量しながら到来したユーザ車両１０に充填される。
【００２１】
ここで、図１では、実施の形態１を説明する上で必要な構成を記載している。水素ステーションの予約システム１００にとって、通常、必要なその他の構成を備えていても構わない。
【００２２】
図２は、実施の形態１における管理サーバの内部構成の一例を示す構成図である。図２において、管理サーバ１１０は、水素ステーション１０２の予約システム１００の制御装置の一例である。管理サーバ１１０内には、予約表作成部５０、予約表表示部５２、予約情報受信部５４、判定部５５、登録部５６、更新部５８、水素必要量算出部６２、水素必要量送信部６４、判定部６８、予約カード情報作成部７０、出力部７４、磁気ディスク装置等の記憶装置６０，６６，７２、通信制御部８０、及びメモリ８２が配置される。予約表作成部５０、予約表表示部５２、予約情報受信部５４、判定部５５、登録部５６、更新部５８、水素必要量算出部６２、水素必要量送信部６４、判定部６８、予約カード情報作成部７０、及び出力部７４といった各機能は、プログラムといったソフトウェアで構成されても良い。或いは、電子回路等のハードウェアで構成されてもよい。或いは、これらの組み合わせであってもよい。管理サーバ１１０内の各機能のうちソフトウェアで構成される機能に必要な入力データ或いは演算された結果はその都度メモリ８２に記憶される。
【００２３】
また、管理サーバ１１０には、例えばプリンタ等の出力装置８４、キーボード８６（入力装置の一例）、及びマウス８８（入力装置の他の一例）がバスを介して接続されている。
【００２４】
上述したように、１つの水素ステーション１０２に水素充填のために到来するユーザ車両１０が集中する可能性があり、充填待ちの待ち時間が長くかかってしまうといった問題が生じることが考えられる。そのため、水素燃料の充填を円滑に行う手法が必要となる。また、充填のために水素ステーション１０２に到来したユーザ車両に対し、水素燃料が足りなくなり充填することができなくなる可能性がある。そのため、水素ステーション１０２への水素燃料の補給を円滑に行う手法が必要となる。そこで、実施の形態１では、水素燃料の充填を予約する水素ステーション１０２の予約システム１００を構築すると共に、かかる予約システム１００を用いて水素ステーション１０２に蓄圧される水素燃料が足りなくなることを防止或いは低減する。かかる予約システム１００は管理サーバ１１０によって制御される。
【００２５】
図３は、実施の形態１における水素ステーションの予約システムの制御方法の要部工程を示すフローチャート図である。図３において、実施の形態１における水素ステーションの予約システムの制御方法は、予約表作成工程（Ｓ１０２）と、予約情報入力工程（Ｓ１０６）と、登録工程（Ｓ１０８）と、予約表更新工程（Ｓ１１０）と、水素必要量算出工程（Ｓ１１２）と、水素必要量出力工程（Ｓ１１４）と、判定工程（Ｓ１１６）と、予約カード情報作成工程（Ｓ１１８）と、予約カードへの出力工程（Ｓ１２０）と、水素必要量入力工程（Ｓ１３０）と、水素製造工程（Ｓ１３２）と、トレーラー充填工程（Ｓ１３４）と、配送工程（Ｓ１３６）と、いう一連の工程を実施する。
【００２６】
図３に示す複数の工程は、実施の形態１における水素ステーションの充填予約装置の制御方法と、水素燃料製造方法と、水素燃料配送方法とを含んでいる。実施の形態１における水素ステーションの充填予約装置の制御方法は、予約表作成工程（Ｓ１０２）と、予約情報入力工程（Ｓ１０６）と、登録工程（Ｓ１０８）と、予約表更新工程（Ｓ１１０）と、水素必要量算出工程（Ｓ１１２）と、水素必要量出力工程（Ｓ１１４）と、判定工程（Ｓ１１６）と、予約カード情報作成工程（Ｓ１１８）と、予約カードへの出力工程（Ｓ１２０）と、いう一連の工程を実施する。また、水素燃料製造方法は、水素必要量入力工程（Ｓ１３０）と、水素製造工程（Ｓ１３２）と、トレーラー充填工程（Ｓ１３４）と、いう一連の工程を実施する。水素燃料配送方法は、配送工程（Ｓ１３６）を実施する。
【００２７】
予約表作成工程（Ｓ１０２）として、予約表作成部５０は、ユーザ車両１０が水素ステーション１０２で水素燃料を充填する日時を予約するための予約情報を入力可能にすると共に、入力された予約情報を登録可能な水素充填予約表を作成する。
【００２８】
図４は、実施の形態１における水素充填予約表の一例を示す図である。図４において、水素充填予約表２０は、水素の充填を行う日付毎に作成されると好適である。図４の例では、例えば、水素の充填を行う日付、予約番号、予約者、車両情報、充填時刻（開始時刻）、及び水素残量の各情報を示すことが可能にフォーマット形成されている。ユーザ車両１０が水素の充填に要する時間は数分程度と想定される。そのため、水素充填予約表２０では、例えば１０分毎に予約可能に作成されている。よって、図４の例では、水素の充填を行う日付毎の水素充填予約表２０について、予約番号、及び充填時刻（開始時刻）が予め決められており、決められた予約番号、及び充填時刻（開始時刻）が設定されている。図４の例では、水素の充填を行う日付に対応する水素充填予約表２０について、充填時刻（開始時刻）毎に、予約者、車両情報、及び水素残量が入力可能にフォーマット形成されている。その他、実際に予約情報が登録されるために送信された通信日時（予約日時）が属性情報として記録されることになる。よって、ユーザ側での入力対象からは除かれている。図４の例では、水素充填予約表２０の表示画面３０が示されており、水素充填予約表２０の上部に水素の充填を行う日付が入力可能に構成されている。また、水素充填予約表２０の下部には、登録ボタンが作成されている。また、水素充填予約表２０の下部には、水素ステーション１０２の名称が示されている。
【００２９】
作成された水素充填予約表２０は、記憶装置６０（記憶部）に格納（記憶）される。また、予約表表示部５２は、インターネットを介して外部装置からアクセス可能に水素充填予約表２０の表示画面３０をインターネット上にアップロードする。
【００３０】
予約情報入力工程（Ｓ１０６）として、ユーザの外部装置から水素充填予約表２０（表示画面３０）へのアクセスを受け、予約情報受信部５４（受信部）は、通信制御部８０を介して予約情報を受信する。例えば、外部端末からインターネットを介して水素充填予約表２０にアクセスし、外部端末から予約情報を受信する。具体的には、例えば、携帯端末１１から水素充填予約表２０（表示画面３０）へのアクセスを受ける。そして、ユーザは、水素充填を希望する日付を入力して、当該日付に対応する水素充填予約表２０を読み出し、携帯端末１１から、表示画面３０上で水素充填予約表２０の予約者、車両情報、及び水素残量の各ブロックがまだ空いている予約番号（或いは充填時刻）の予約者、車両情報、及び水素残量の各ブロックに予約情報を入力する。予約情報として、予約者の名称、車両情報、及び予約時のユーザ車両１０の水素残量（残圧）が挙げられる。水素燃料の残量は、圧力で定義するため、ユーザ車両１０の車種によって搭載された水素貯蔵容器の内部容量（大きさ）が異なる。そのため、ユーザ車両１０の車種によって充填される水素量が異なっている。よって、車両情報として、車種名を入力する。或いは搭載された水素貯蔵容器の内部容量等であってもよい。そして、各ブロックへの入力後、表示画面３０上の登録ボタンを押す（クリックする）。登録ボタンが押されることによって、予約情報受信部５４は、入力された予約情報を受信する。その際、通信日時の情報を予約情報の一部として合わせて受信する。かかる予約情報の入力の受付は、充填予約日の充填時刻の直前まで受け付けても構わないが、充填予約の日付の前日或いは前前日までには終了すると好適である。これにより、充填日の前日に充填日における予約状況を確定することができる。ひいては充填日に必要な水素量を計算可能にすることができる。
【００３１】
なお、予約情報の入力は、外部装置からの入力に限るものではない。ユーザが水素ステーション１０２に到来して、キーボード８６或いはマウス８８といった管理サーバ１１０に接続された入力装置から予約情報を入力してもよい。入力装置から入力された予約情報は、予約情報受信部５４によって受信される。例えば、水素充填のために水素ステーション１０２に到来したユーザが次回の水素充填の予約をかかる入力装置から行う場合が想定される。
【００３２】
予約情報受信部５４によって予約情報が受信されると、判定部５５は、受信された予約情報が登録可能かどうかを判定する。例えば、予約者のブロックに車種名や水素残圧が入力された場合、車両情報のブロックに予約者名や水素残圧が入力された場合、及び水素残量のブロックに予約者名や車種名が入力された場合等は登録不可と判定する。登録不可と判定された場合、予約表表示部５２は、登録不可となったブロックの表示を消去する。或いは、登録不可であることを示すエラーメッセージを表示すればよい。予約情報が登録可能であると判定された場合、登録工程（Ｓ１０８）へと進む。
【００３３】
登録工程（Ｓ１０８）として、登録部５６は、受信された予約情報を記憶装置６０に記憶されている水素充填予約表２０に登録する。
【００３４】
図５は、実施の形態１における水素充填予約表の他の一例を示す図である。図５において、水素充填予約表２０は、充填時刻が８時４０分と９時００分との枠について充填予約が登録されていることを示している。充填時刻が８時４０分と９時００分との枠では、ユーザが登録ボタンを押して予約情報受信部５４に予約情報を送信した時の通信日時（予約日時）が合わせて登録される。また、図５の例では、充填時刻が８時５０分の枠がまだ予約が入っていないことを示している。
【００３５】
予約表更新／表示工程（Ｓ１１０）として、更新部５８は、登録された予約情報の内容がユーザからアクセスされた水素充填予約表２０上に表示されるように水素充填予約表２０を更新する。かかる更新によって、予約情報が登録された充填時刻の枠には、その後に予約情報の入力を受け付けないようになる。そして、予約表表示部５２は、予約情報が登録された水素充填予約表２０をインターネット上にアップロード（出力）する。よって、ユーザは、携帯端末１１等の外部端末を使ってインターネットを介して水素充填予約表２０にアクセスした際に登録された予約情報の内容を確認できる。
【００３６】
かかる構成により、ユーザは充填時間を予約できるので、予約時間に合わせて来店すればよい。よって、水素ステーション１０２でのユーザの待ち時間を減らすことができる。また、水素ステーション１０２側では、来店するユーザ（顧客）が特定できるので顧客毎のサービスを提供できる。言い換えれば、各ユーザは、ユーザ毎のサービスを受けることが可能になる。また、水素ステーション１０２側では、予約状況に合わせて水素燃料の準備やスタッフの配置などを行うことができる。よって、効率的な運用ができる。また、水素燃料の時間帯別料金を設定するなどして、ユーザの水素充填の平準化を図ることもできる。その結果、水素ステーション１０２の設備の稼働を一定に近づけることができ、いたずらに設備を大きくする必要を回避できる。
【００３７】
水素必要量算出工程（Ｓ１１２）として、水素必要量算出部６２（必要量算出部）は、予約情報が登録された水素充填予約表２０を記憶装置６０から読み出し、読み出された水素充填予約表２０を用いて読み出した日から予め設定された日数が経過した注目日における水素燃料の必要量を算出する。例えば、注目日の前日の水素ステーション１０２の営業終了時刻に水素充填予約表２０を記憶装置６０から読み出し、注目日である翌日における水素燃料の必要量を算出する。かかる計算を行うために、予約情報の入力の受付は、充填予約の日付の前日の水素ステーション１０２の営業終了時刻までに、或いは前前日までには終了すると好適である。当該予約者の水素燃料の必要量は、予約者の車種情報から得られる水素貯蔵容器の内部容量と予約者の予約日時と予約者の車両の予約時の水素残量とを用いて計算すればよい。予約時の水素残量（残圧）から満タン（予め設定された設定圧力）にするまでに必要な水素量を所定のアルゴリズムを用いて推定できる。また、予約者の予約日時と充填時刻との差分から予約時から充填時刻までの時間を計算できる。よって、かかる時間に消費される水素量を所定のアルゴリズムを用いて推定できる。かかる推定量を予約時の水素残量から満タンにするまでに必要な水素量に加算することで当該予約者の水素燃料の必要量を計算できる。そして、注目日に予約している予約者の水素燃料の必要量の合計を計算することで、注目日における水素燃料の必要量を算出すればよい。算出された注目日における水素燃料の必要量のデータは、注目日と水素燃料の必要量とが対応するように記憶装置６６に一時的に記憶される。
【００３８】
水素必要量出力工程（Ｓ１１４）として、水素必要量送信部６４（出力部）は、注目日よりも前に注目日における水素燃料の必要量を出力する。例えば、水素必要量送信部６４（出力部）は、水素燃料をトレーラー車両１０８で配送するトレーラー配送事業者端末１３０（配送事業者端末）と、水素燃料を製造するＨ２製造所端末１２０と、のうち少なくとも１つに、注目日よりも予め設定された日数前の出力日にインターネットを介して注目日における水素燃料の必要量を出力する。具体的には、水素必要量送信部６４は、注目日における水素燃料の必要量データを記憶装置６６から読み出し、注目日の例えば、前日の水素ステーション１０２の営業終了時刻付近に、通信制御部８０を介してＨ２製造所端末１２０に水素燃料の必要量データを送信する。これにより、水素製造所１０４では、注目日における水素燃料の必要量を入手することができる。また、水素必要量送信部６４は、注目日における水素燃料の必要量データを記憶装置６６から読み出し、注目日の例えば、前日の水素ステーション１０２の営業終了時刻付近に、通信制御部８０を介してトレーラー配送事業者端末１３０に水素燃料の必要量データを送信する。これにより、トレーラー配送事業者１０６は、注目日に水素ステーション１０２へと配送する水素燃料の必要量を入手することができる。
【００３９】
判定工程（Ｓ１１６）として、判定部６８は、ユーザが水素ステーション１０２に来店して予約情報を入力したかどうかを判定する。具体的には、キーボード８６及びマウス８８といった入力装置から予約情報が入力されたかどうかを判定する。来店して予約情報を入力した場合には、予約カード情報作成工程（Ｓ１１８）に進む。来店して予約情報を入力してない場合には、管理サーバ１１０（充填予約装置）の制御フローは終了する。
【００４０】
予約カード情報作成工程（Ｓ１１８）として、予約カード情報作成部７０は、登録された予約情報の内容が表示された、ユーザ毎の個別予約表情報を作成する。
【００４１】
図６は、実施の形態１における個別予約カードの一例を示す図である。図６において、個別予約カード２４（個別予約表の一例）は、ユーザ毎に作成されると好適である。或いは車両毎に作成されても好適である。図６の例では、例えば、予約者、水素ステーション１０２の名称、予約番号、充填時刻（開始時刻）、車両情報、及び水素残量の各情報を示すことが可能にフォーマット形成されている。水素ステーション１０２では、ユーザ毎（或いは車両毎）に個別予約カード２４を発行する。登録工程（Ｓ１０８）によって、ユーザの予約情報が登録されると個別予約カード２４にその内容が、個別予約カード２４の記載項目に合わせた個別予約表情報として生成される。
【００４２】
予約カードへの出力工程（Ｓ１２０）として、出力部７４は、作成された個別予約表情報をユーザ毎の個別予約カード２４に記録可能に出力する。具体的には、出力装置８４に出力する。そして、出力装置８４は、個別予約表情報をユーザ毎の個別予約カード２４に出力（記録）する。具体的には、出力装置８４によって個別予約表情報の内容が個別予約カード２４に印刷（出力）される。これにより、ユーザは次に水素ステーション１０２に水素燃料の充填のために到来する日時を記録した媒体を得ることができる。図６の例では、例えば、予約番号が２番の充填予約に基づいて水素充填のための来店時に予約番号が３番の充填予約を行って、その内容が個別予約カード２４に印刷（出力）された場合を示している。
【００４３】
かかる構成により、ユーザは充填時間の予約内容が記録された個別予約カード２４を得ることができるので、個別予約カード２４を見て予約時間に合わせて来店すればよい。よって、水素ステーション１０２でのユーザの待ち時間を減らすことができる。
【００４４】
ここで、個別予約カード２４の材質は問わない。例えば、紙であっても良いし、プラスチック材料等でも構わない。
【００４５】
なお、上述した例では、インターネット等を介して水素充填予約表２０を公表するとともに、来店顧客には個別予約カード２４への記録を行っているが、いずれか一方だけでも構わない。
【００４６】
水素必要量入力工程（Ｓ１３０）として、Ｈ２製造所端末１２０は、インターネットを介して、当該水素ステーション１０２での注目日における水素燃料の必要量を入力（受信）する。具体的には、前日に翌日の水素燃料の必要量を受信する。また、同様に、トレーラー配送事業者端末１３０は、インターネットを介して、当該水素ステーション１０２での注目日における水素燃料の必要量を入力（受信）する。
【００４７】
水素製造工程（Ｓ１３２）として、水素製造設備１０５は、Ｈ２製造所端末１２０に入力された注目日における水素燃料の必要量に基づいて、水素ステーション１０２の低圧蓄圧器１１４に水素燃料の必要量が示す水素燃料を注目日に蓄圧可能な量の水素燃料を製造する。
【００４８】
トレーラー充填工程（Ｓ１３４）として、水素製造設備１０５は、水素燃料を配送する配送事業者のトレーラー車両１０８に製造された水素燃料を充填する。
【００４９】
かかる構成により、水素製造所１０４側では、予約状況に合わせて水素燃料の製造を行うことができる。予め必要な製造量を取得できることで、水素製造設備１０５の効率的な運用ができる。予約状況が平準化されれば、水素製造設備１０５の稼働を一定に近づけることができ、いたずらに設備を大きくする必要を回避できる。トレーラー配送事業者１０６側では、予約状況に合わせて水素燃料の配送のためのトレーラー車両１０８の手配を行うことができる。予め配送が必要な水素量を取得できることで、トレーラー車両１０８手配の効率的な運用ができる。予約状況が平準化されれば、トレーラー車両１０８の稼働を一定に近づけることができ、いたずらにトレーラー車両１０８の台数を確保する必要を回避できる。
【００５０】
配送工程（Ｓ１３６）として、トレーラー配送事業者１０６は、トレーラー車両１０８に充填された水素燃料を水素ステーション１０２に配送する。そして、配送先の水素ステーション１０２内の低圧蓄圧器１１４に上述した必要量以上の水素燃料を充填する。
【００５１】
かかる構成により、水素ステーション１０２では、水素燃料が不足することを回避できる。また、何日も前から多量の水素燃料を保持する必要が無くなり、かかる点からもいたずらに設備を大きくする必要を回避できる。
【００５２】
以上のように、実施の形態１によれば、ユーザ車両１０は確実に水素燃料の充填ができると共に、水素ステーション１０２では効率的な水素燃料の準備およびユーザ車両１０への供給ができる。
【００５３】
実施の形態２．
実施の形態１では、水素ステーション１０２と水素製造所１０４とが別々に存在する場合について説明したが、これに限るものではない。水素ステーション１０２内で水素を製造してもよい。
【００５４】
図７は、実施の形態２における水素ステーションの予約システムの構成を示す構成図の一例である。図７において、水素ステーションの予約システム１００は、管理サーバ１１０（充填予約装置）を備えている。図７では、水素製造設備１０５が水素ステーション１０２内に配置される点、トレーラー配送事業者１０６及び水素製造所１０４を無くした点以外は図１と同様である。トレーラー配送事業者１０６が不要となったことからトレーラー配送事業者端末１３０及びトレーラー車両１０８も不要となる。また、水素製造所１０４が不要となったことからＨ２製造所端末１２０も不要となる。
【００５５】
また、実施の形態２における水素ステーションの予約システムの制御方法は、水素必要量入力工程（Ｓ１３０）と、トレーラー充填工程（Ｓ１３４）と、配送工程（Ｓ１３６）とが不要となった点以外は図３と同様である。その他、以下、特に説明する点以外の内容は実施の形態１と同様である。
【００５６】
すなわち、水素必要量出力工程（Ｓ１１４）において水素必要量が水素ステーション１０２内で出力されればよい。そして、水素製造工程（Ｓ１３２）において、かかる水素必要量に基づいて水素ステーション１０２内で水素を製造すればよい。また、製造された水素は、低圧蓄圧器１１４に充填されればよい。
【００５７】
かかる構成により、水素ステーション１０２では、水素燃料が不足することを回避できる。また、何日も前から多量の水素燃料を保持する必要が無くなり、かかる点からもいたずらに設備を大きくする必要を回避できる。
【００５８】
以上のように、実施の形態２によれば、ユーザ車両１０は確実に水素燃料の充填ができると共に、水素ステーション１０２では効率的な水素燃料の準備およびユーザ車両１０への供給ができる。
【００５９】
以上、具体例を参照しつつ実施の形態について説明した。しかし、本発明は、これらの具体例に限定されるものではない。例えば、水素製造所１０４と水素ステーション１０２とが一体であってもよい。言い換えれば、水素ステーション１０２内に水素製造設備１０５が配置されていてもよい。かかる場合、水素製造所端末１２０やトレーラー事業者端末１３０への注目日における水素燃料の必要量の送信は不要にできる。その場合、注目日における水素燃料の必要量は管理サーバ１１０に接続される図示しないモニタ等に表示すればよい。
【００６０】
また、装置構成や制御手法等、本発明の説明に直接必要しない部分等については記載を省略したが、必要とされる装置構成や制御手法を適宜選択して用いることができる。
【００６１】
その他、本発明の要素を具備し、当業者が適宜設計変更しうる全ての水素ステーションの予約システムの制御方法、水素燃料製造方法、及び水素ステーションの充填予約装置は、本発明の範囲に包含される。
【符号の説明】
【００６２】
１０  ユーザ車両
１１  携帯端末
２０  水素充填予約表
２４  個別予約カード
３０  表示画面
５０  予約表作成部
５２  予約表表示部
５４  予約情報受信部
５５  判定部
５６  登録部
５８  更新部
６０，６６，７２  記憶装置
６２  水素必要量算出部
６４  水素必要量送信部
６８  判定部
７０  予約カード情報作成部
７４  出力部
８０  通信制御部
８２  メモリ
８４  出力装置
８６  キーボード
８８  マウス
１００  予約システム
１０２  水素ステーション
１０４  水素製造所
１０５  水素製造設備
１０６  トレーラー配送事業者
１０８  トレーラー車両
１１０  管理サーバ
１１２  計量機
１１４  低圧蓄圧器
１１６  圧縮機
１１８  高圧蓄圧器
１２０  Ｈ２製造所端末
１３０  トレーラー配送事業者端末
１４０  基地局
【図１】
0006383316.tif 000002
【図２】
0006383316.tif 000003
【図３】
0006383316.tif 000004
【図４】
0006383316.tif 000005
【図５】
0006383316.tif 000006
【図６】
0006383316.tif 000007
【図７】
0006383316.tif 000008